(57)【特許請求の範囲】
【請求項１】
放送局側から送信されるデータつき放送信号を弁別するための放送システムであって、
弁別条件の設定項目を配信先ユーザに提示するフォームと、前記設定項目に応じた属性を付加したデータと、を配信する放送局システムと、
前記フォームと前記データとを前記放送局システムより取得するフォーム・データ取得手段と、
配信先ユーザが前記設定項目に従って弁別条件設定用の弁別対象データ属性を入力する入力手段と、
放送局側から受信される前記データに付加された属性と、前記入力手段から入力された弁別対象データ属性と、を比較して前記データを弁別的に取得する受信側システムと、
を含むことを特徴とする放送システム。
【請求項２】
放送信号とともに送信するデータを受信側システムで弁別的に取得させるための放送局システムであって、
弁別条件の設定項目を配信先ユーザに提示するフォームを受信側システムに配信するフォーム配信手段と、
前記設定項目に応じた属性を付加したデータを配信する手段と、
を含むことを特徴とする放送局システム。
【請求項３】
弁別対象データ属性をテーブルとして提供するテーブル提供手段を備えることを特徴とする請求項２に記載の放送局システム。
【請求項４】
放送局側より放送信号とともに送信されるデータを弁別的に取得するための受信側システムであって、
弁別条件の設定項目をユーザに提示するフォームを、放送局側より取得するフォーム取得手段と、
ユーザが前記設定項目に従って弁別条件設定用の弁別対象データ属性を入力する入力手段と、
前記設定項目に応じた属性が付加されたデータを放送局側より取得するデータ取得手段と、
放送局側から受信する前記データに付加された属性と、前記入力手段から入力された弁別対象データ属性と、を比較して前記データを弁別的に取得する弁別手段と、
を含むことを特徴とする受信側システム。
【請求項５】
前記放送局側に弁別対象データ属性がテーブルとして保持されている場合に当該テーブルを取得するテーブル取得手段を備え、
前記弁別手段は、
前記放送局側から受信したデータを当該テーブルに基づいて弁別的に取得することを特徴とする請求項４に記載の受信側システム。
【請求項６】
移動体に搭載される請求項４または請求項５に記載の受信側システムであって、
前記移動体の位置情報を取得する手段を備え、
前記弁別手段は、
放送局側より送信されたデータが示す位置情報と前記移動体の位置情報との比較結果に基づいてデータの弁別取得を行うことを特徴とする受信側システム。
【請求項７】
取得するデータの種別を特定する種別特定手段と、
前記種別特定手段によって特定された種別のデータを、前記弁別手段の弁別取得処理にかかわらず取得する特定データ取得手段と、
を備えることを特徴とする請求項４から請求項６のいずれか１項に記載の受信側システム。
【発明の詳細な説明】
【０００１】
【発明の属する技術分野】
本発明は、データつき放送信号を送受信する放送システムに関する。
【０００２】
【従来の技術】
近年、放送信号とともにディジタルデータを配信する放送技術が実用化されている。このようなディジタルデータ配信においては、刻々と大量のデータが受信されるため、受信側で必要なデータのみをどのようにして弁別受信するかが問題となっている。
【０００３】
例えば、特開２０００−１５６８２４号公報、「ディジタル放送受信装置」では、ユーザが事前に登録したキーワードに基づいてデータを弁別的に蓄積する受信装置が開示されている。
【０００４】
【発明が解決しようとする課題】
しかしながら、上記従来の受信装置によれば、弁別的受信のためのキーワードの巧拙が蓄積される情報の内容に影響するため、所望の情報を得るためのキーワードの選定が面倒で、利便性が低い。
【０００５】
本発明は、上記実状に鑑みて為されたもので、弁別受信の条件を容易に設定でき、利便性の高い放送システムを提供することを目的としている。
【０００６】
【課題を解決するための手段】
上記従来例の問題点を解決するための本発明は、放送局側から送信されるデータつき放送信号を弁別するための放送システムであって、弁別条件の設定項目を配信先ユーザに提示するフォームと、前記設定項目に応じた属性を付加したデータと、を配信する放送局システムと、前記フォームと前記データとを前記放送局システムより取得するフォーム・データ取得手段と、配信先ユーザが前記設定項目に従って弁別条件設定用の弁別対象データ属性を入力する入力手段と、放送局側から受信される前記データに付加された属性と、前記入力手段から入力された弁別対象データ属性と、を比較して前記データを弁別的に取得する受信側システムと、を含むことを特徴としている。このように、放送局側から提供されるフォームを利用して、受信者が弁別の条件を指定できるので、条件設定が容易であり、かつ的確な条件とすることができ、利便性を向上できる。
【０００７】
また、本発明は、放送信号とともに送信するデータを受信側システムで弁別的に取得させるための放送局システムであって、弁別条件の設定項目を配信先ユーザに提示するフォームを受信側システムに配信するフォーム配信手段と、前記設定項目に応じた属性を付加したデータを配信する手段とを含むことを特徴とする。また、本発明に係る放送局システムにおいては、弁別対象データ属性をテーブルとして提供するテーブル提供手段を備えることが好適である。
【０００８】
また、本発明は、放送局側より放送信号とともに送信されるデータを弁別的に取得するための受信側システムであって、弁別条件の設定項目をユーザに提示するフォームを、放送局側より取得するフォーム取得手段と、ユーザが前記設定項目に従って弁別条件設定用の弁別対象データ属性を入力する入力手段と、前記設定項目に応じた属性が付加されたデータを放送局側より取得するデータ取得手段と、放送局側から受信する前記データに付加された属性と、前記入力手段から入力された弁別対象データ属性と、を比較して前記データを弁別的に取得する弁別手段と、を含むことを特徴とする。
【０００９】
また、本発明に係る受信側システムにおいては、前記放送局側に弁別対象データ属性がテーブルとして保持されている場合に当該テーブルを取得するテーブル取得手段を備え、前記弁別手段は、前記放送局側から受信したデータを当該テーブルに基づいて弁別的に取得することが好適である。また、本発明に係る受信側システムにおいては、移動体に搭載され、前記移動体の位置情報を取得する手段を備え、前記弁別手段は、放送局側より送信されたデータが示す位置情報と前記移動体の位置情報との比較結果に基づいてデータの弁別取得を行うことが好適である。また、本発明に係る受信側システムにおいては、取得するデータの種別を特定する種別特定手段と、前記種別特定手段によって特定された種別のデータを、前記弁別手段の弁別取得処理にかかわらず取得する特定データ取得手段と、を備えることが好適である。
【００１０】
【発明の実施の形態】
［基本的構成］
本発明の実施の形態について図面を参照しながら説明する。本発明の実施の形態に係る放送システムは、ディジタルデータとともに放送信号を送受信するもので、このディジタルデータには、広告に用いられる電子的クーポンを含む。本実施の形態の放送システムは、図１に示すように、情報センタ１と、放送局２と、顧客側システム３と、店舗に配置された商業システム４とから基本的に構成されており、顧客側システム３には、受信機やカーナビゲーションシステム、携帯電話機、携帯端末（ＰＤＡ）などを含む。この情報センタ１と放送局２とが本発明の放送局システムに相当し、顧客側システム３が本発明の受信側システムに相当する。
【００１１】
情報センタ１は、放送局２により放送される映像信号やそれに併せて配信されるディジタルデータとを管理している。この情報センタ１は、広告主及びクーポンの提供者としての店舗側から、広告映像情報と電子的なクーポンのデータとを取得して管理し、放送委託契約に基づいて放送局２に対して委託料を支払い、これらの広告映像や電子的クーポンの放送を委託する。また、情報センタ１は、商業システム４から利用後の電子的クーポンを回収して分析する。この分析処理については、後に詳しく説明する。
【００１２】
ここで、電子的クーポンは、図２に示すように、電子的クーポンの識別子（ＩＤ）と、ランダムに発生された正当性照合コード（ＶＡＬ）と、提供者を特定する情報（ＯＷＮ）と、電子的クーポンの有効期間の始期（ＦＲＯＭ）及び終期（ＧＴＲ）と、譲渡の可否及び複写の可否を表すコード（ＲＨＴ）と、提供される基本的特典を示す情報（Ｂ）と、付加的特典供与のための条件及び付加的特典を示す情報（Ｅ）とを含む。ここで付加的特典の情報（Ｅ）は、任意的なものである。また、付加的特典の情報（Ｅ）は複数あってもかまわない。
【００１３】
放送局２は、情報センタ１から委託された電子的クーポンを放送信号に併せて送信する。この放送局２は、図３に示すように、管理局２０と複数の地域放送局２１から構成され、管理局２０からの指示に従って、各地域放送局２１が事前に設定されたエリアに対して、映像信号とディジタルデータを重畳して変調し、放送信号として送信する。本実施の形態において特徴的なことは、この地域放送局２１が情報センタ１から委託されている広告映像の信号と、その映像に関連する電子的クーポンを重畳して放送することである。また、管理局２０を識別するコード（放送局コード；ＢＣ）と地域放送局２１には、固有のコード（放送エリアコード；ＡＣ）と放送日時の情報（ＢＤ）とをこの電子的クーポンに含めて放送する。ここで、放送局コードや放送エリアコードは事前に設定されているとする。
【００１４】
顧客側システム３は、映像信号を受像して再生する受信機を含み、この受信機で受信した信号から視聴者（顧客）からの指示に従って電子的クーポンを抽出して蓄積する。また、顧客からの指示に従って、蓄積しているクーポンを選択的に他の顧客側システム３又は商業システム４に転送する。具体的に顧客側システム３は、図４（ａ）に示すように車載のカーナビゲーションシステム３０と、携帯電話機３１とからなってもよく、この場合には、カーナビゲーションシステム３０が放送信号とディジタルデータとを受信し、顧客の指示により電子的クーポンを取り込んで蓄積する。また、カーナビゲーションシステム３０は、顧客からの指示を受けて携帯電話機３１に蓄積している電子的クーポンを転送して消去する。そして携帯電話機３１は、この電子的クーポンを蓄積し、顧客の操作に応じて商業システム４に転送する。
【００１５】
また、この顧客側システム３は、図４（ｂ）に示すように、放送信号を受信するチューナ３２とＰＤＡなどの携帯端末３３とからなってもよい。この場合には、チューナ３２に接続された携帯端末３３が、チューナ３２にて復調された放送信号及びディジタルデータとの入力を受けて、この放送信号を再生するとともに、顧客からの指示に従ってディジタルデータとしての電子的クーポンを蓄積する。そして携帯端末３３は、店舗に携行され、そこで顧客からの指示を受けて蓄積している電子的クーポンを商業システム４に転送し、当該電子的クーポンを削除する。
【００１６】
本実施の形態において特徴的なことは、この顧客側システム３において、電子的クーポンの取得時に、その取得時間（ＦＴ）や顧客の識別子（ＣＩＤ）、取得場所（ＦＰ）の情報などの取得状況に関する情報を電子的クーポンに含めることである。すなわち、顧客側システム３において蓄積されたときの電子的クーポンの内容は、放送局２側で含められた情報を合わせて、例えば図５に示すようなものとなっている。また、顧客側システム３は、転送時にその時間や転送に関連する情報を電子的クーポンに含めてもよい。
【００１７】
ところで、この転送が無制限に行われると、クーポン自体が電子的に複写されていつまでも取り置かれたり、不正に頒布されたりして好ましくない。本実施の形態においては、電子的クーポンに対し、その提供者の意思に基づく譲渡の可否及び複写の可否を表すコード（ＲＨＴ）が含められており、転送時にこの情報が参照される。この転送処理については、後に詳しく説明することとする。
【００１８】
商業システム４は、図６に示すように、電子的クーポンの受信機４１と、ＰＯＳ（Point of Sales）４２と、発信装置４３とから基本的に構成されている。これらの各部は、互いに店舗内のネットワークで接続されている。
【００１９】
受信機４１は、顧客が店舗に携行した顧客側システム３の携帯電話機３１や携帯端末３３など（以下「携帯端末」と総称する）に対して、公知の無線ＬＡＮ技術を用いてアクセスし、その店舗が提供するクーポンが蓄積されているか否かを調べる。そして、そのようなクーポンが蓄積されている場合には、そのクーポンを取得し、携帯端末側に、そのクーポンを削除させる。また、この受信機４１は、クーポンが取得されると、その顧客がクーポンを所持していることを店員に報知するとともに、クーポンをＰＯＳ４２に出力する。
【００２０】
ＰＯＳ４２は、顧客が電子的クーポンにより特典を受けたときには、そのクーポンの利用状況に関する情報（購入製品・購入量・購入日時等）を電子的クーポンに含めて、発信装置４３に出力する。発信装置４３は、インターネットなどの電気通信網を介して情報センタ１に対して、この電子的クーポンを発信する。
【００２１】
このように、本実施の形態においては、提供者側から提供された電子的クーポンが情報センタ１から放送局２に配信委託され、放送局２が所定地域に対して、その電子的クーポンを配信し、顧客側システム３がこの電子的クーポンを受信して蓄積し、携帯端末に転送し、顧客がこの携帯端末を店舗に携行して、店舗側の商業システムにクーポンが転送され、さらにこのクーポンが情報センタ１に回収されるというように、提供者（店舗）、放送局、顧客、店舗、情報センタのような順序で流通する。また、この流通過程で、各所でのクーポンの取得、利用、転送などの状況の情報がクーポンに含められる。これによって、各所での具体的情報が含まれるクーポンが情報センタに回収され、クーポンの効率的配信のための分析処理に供される。
【００２２】
［課金処理］
さらに本実施の形態における課金処理の流れについて説明する。すでに述べたように、情報センタ１は放送局２に対して、放送委託契約に基づく委託料を支払っている。放送局２は、具体的には、放送エリアの数に応じて委託料を設定でき、情報センタ１は、この委託料を支払うことになる。
【００２３】
尚、顧客（放送視聴者）への情報提供は無償で行うのが一般的であるが、情報センタ１は、顧客に対して情報受信料を課金し、顧客ＩＤ（ＣＩＤ）を提供することにより、特定視聴者（会員）にのみ情報を提供するようにしてもよい。また、情報センタ１は、クーポンの提供者である店舗側に対し、情報センタで回収、分析された情報を提供して料金を課金する。また、この回収結果に基づいて、利用実績に応じた情報配信料金を課金することもできる。
【００２４】
［付加的特典］
さらに、クーポンには、付加的特典に関する条件及びその特典の情報とが含まれ、商業システム４は、顧客システム３からクーポンを取得した際に、そのクーポンに含まれている顧客システム３でのクーポンの受信状況を表す情報と、付加的特典の条件とを比較し、この条件が満たされるときに、付加的特典の提供が行われるようになる。この条件としては、具体的には、クーポンの受信時刻や受信場所、受信回数、受信したクーポンの種類などがある。
【００２５】
また、商業システム４側に蓄積されている情報と、付加的特典のための条件とを比較し、この比較に基づいて付加的特典が供与されるようになっていてもよい。この場合の条件としては、店舗への来訪回数や前回の来訪日時の条件などが考えられる。
【００２６】
これにより、例えばシリーズ広告をすべて受信したときにのみ付加的特典が供与されるなどのサービスを提供できる。また、続けて来訪した顧客に対して付加的特典を供与するなどのサービスを提供できる。
【００２７】
また、顧客システム３と商業システム４との間で電子的クーポンの情報を相互に送受信できるようになっていてもよい。この場合には、相互に送受信するごとに送受信に関する情報をクーポンに含め、この情報と付加的特典の条件とを比較して、それが満たされるときにのみ付加的特典が供与されるとすることができ、これにより、第１店舗に来訪してから第２店舗に来訪すると、それぞれの店舗で付加的特典が享受できるといった態様のサービスを提供できる。これは具体的には、レストランを利用してから、関係のある土産物屋を利用すると、特典があるといったサービスに応用できる。
【００２８】
［フィルタリング処理］
また、本実施の形態において特徴的であるフィルタリング処理、すなわち弁別受信の処理について説明する。本実施の形態の放送システムでは、顧客側システム３で放送局２からの放送信号及びディジタルデータを弁別受信するために、放送局２が、弁別受信の条件設定を支援する支援情報を送信し、顧客側システム３で、この支援情報に基づき、弁別受信の条件設定を行うとともに、当該条件に従って、放送局側から受信する放送信号及びディジタルデータから受信対象を弁別し、当該受信の対象となった放送信号及びディジタルデータのみを選択的に処理することも好ましい。
【００２９】
すなわち、情報センタ１が支援情報として、顧客の年齢、性別、居住地域、勤務先地域、趣味などの情報並びに顧客が特に興味を持っているジャンルの情報を入力するためのフォームを提供し、放送局２が放送信号に含めてこのフォームの情報を配信する。顧客側システム３では、このフォームの情報を取得して顧客に提示し、顧客はこのフォーム情報に自己の年齢、性別、居住地域などの情報を入力して、フィルタ条件として顧客側システム３に設定する。
【００３０】
また、情報センタ１は、放送局２に委託して配信するディジタルデータに、その弁別のための属性情報（以下、単に「データ属性」と呼ぶ）を付加し、放送局２は、各ディジタルデータにデータ属性を付加して放送する。具体的に、このデータ属性は、ディジタルデータがクーポンであれば、図７に示すように、クーポン提供者を特定する情報（Ａ）と、ジャンルの情報（Ｂ）と、提供日時や有効期限からなるタイムスタンプ情報（Ｃ）と、電話番号（Ｄ）と、位置情報（Ｅ）と、趣味などの情報（Ｆ）と、提供サービスの情報（Ｇ）とからなる。
【００３１】
また、ジャンルなどの情報を含む場合には、図７に示したように階層的に、大分類（ｂ１）と、中分類（ｂ２）と、小分類（ｂ３）とを含むようになることが好ましい。ここで、フォームが本発明の支援情報に相当する。
【００３２】
顧客側システム３では、放送信号に重畳されたディジタルデータからデータ属性を認識し、データ属性がこのフィルタ条件に合致するか否かを調べ、合致するときにのみディジタルデータを蓄積し、顧客への提示を行う。ここで説明したように、顧客がフォーム情報を利用してフィルタ条件を設定しているときには、顧客側システム３は、受信したディジタルデータのデータ属性のうち、趣味などの情報（Ｆ）を参照し、この情報（Ｆ）とフィルタ条件とを比較して、条件が満たされるときにのみ、当該ディジタルデータを蓄積する。また、顧客側システム３は、顧客がジャンルの情報を指定しているときには、この情報とデータ属性のジャンルの情報（Ｂ）とを比較して、その比較の結果に基づいてディジタルデータを選択的に蓄積する。
【００３３】
また、情報センタ１が、顧客側システム３に設定されたフィルタ条件をインターネットなどを通じて取得し、趣味をキーとして整理して、共通して設定されているフィルタ条件を見いだして、その趣味に対応する一般的なフィルタ条件として図８に示すようなテーブルとして設定するのも好ましい。このようにすれば、趣味をキーとして顧客側がこのテーブルを参照して、フォームを用いることなく容易にフィルタ条件を設定できる。
【００３４】
さらに顧客側システム３が車載のナビゲーションシステムや携帯電話機など移動体に付属するときには、その移動体の位置情報をＧＰＳや電話局での位置登録情報などから取得して、それに該当する地域の情報をフィルタ条件と組み合わせて利用してもよい。この場合には、取得した位置情報とデータ属性の位置情報（Ｅ）と比較し、その比較結果に基づいてディジタルデータを選択的に蓄積する。
【００３５】
具体的には、放送局２から送信されるディジタルデータは、図９に示すように、ＸＭＬ（eXtensible Markup Language）で記述されており、各データは、ジャンルを示す開始タグ（ここでは「公園」を示す「<kouen>」など）と終了タグ（「</kouen>」など）で区切って記述され（Ｐ）、位置情報のタグ（<point>）で識別される位置情報（Ｑ）や、実体の情報（<information>）で識別される情報（Ｒ）を含む。従って顧客が「公園」のジャンルの情報をフィルタ条件に設定してれば、顧客側システム３により、この「<kouen>」から「</kouen>」までの間の情報が抽出され、蓄積される。
【００３６】
さらに、フィルタ条件の設定の如何に関わらず、顧客側システム３に蓄積され、顧客側に伝達されるディジタルデータのジャンルを定めてもよい。このようなジャンルとしては、例えば事故や災害などの情報がある。このようなジャンルのディジタルデータについては、顧客側システム３は、フィルタ条件の設定に関わらず蓄積を行う。また、このようなディジタルデータが受信された場合には、顧客側システム３は、公知の音声合成技術を用いて「災害発生！」のような音声を鳴動してもよい。
【００３７】
さらに、このフィルタ条件としては、顧客の誕生日などの個人的情報や、車載の顧客側システム３であれば、当該車両の車種の情報などを含んでもよい。これにより、顧客側は、個人的事情に応じて、特典のあるクーポンを取得したり、車両・車種に応じたデータを取得できる。
【００３８】
［ディジタルデータの受信］
顧客側システム３が例えば車載の機器である場合、車両のエンジンが停止されエアコンやオーディオ機器などの補機に対する電源供給が停止すると、ディジタルデータの受信が行われなくなる。しかしながら、一定のディジタルデータは、すでに説明したフィルタ条件に基づいて選択的に蓄積しておき、後の走行時などに利用されるようになっていることが好ましい。そこで、車載の顧客側システム３は、バッテリ駆動され、定常的にディジタルデータをフィルタ条件に基づいて選択的に蓄積していることが好ましい。この場合さらに、顧客側システム３は蓄積しているディジタルデータの有効期限の情報を周期的に調べて、有効期限の経過したものを削除することも好ましい。また、このバッテリは補機電源が供給されている間は、この電源により充電を行う。
【００３９】
［ディジタルデータの提示］
顧客側システム３は所定の提示条件に基づいて蓄積しているディジタルデータを顧客に対して提示する。ここでこの提示条件としては、クーポンに含まれる店舗の位置情報などである。具体的に顧客側システム３が車載の機器などの移動体である場合に、クーポンに含まれている店舗の位置情報とカーナビゲーションシステムなどで取得される移動体の現在位置とを比較し、それが店舗の位置に近接つつある場合に「いらっしゃいませ」などの文字列を提示しながら音声を鳴動し、店舗から離れつつあるときに「ありがとうございました」ないし、「次回のご用命をお待ち申し上げております」などの文字列や音声を提示する。
【００４０】
この場合には、情報センタ１側で、提示条件とその条件が満足されるときに提示されるべき文字列や音声などの情報とを関連づけてクーポンに含めて設定しておく。
【００４１】
［転送処理］
顧客側システム３は、電子的クーポンを転送する指示を顧客から受けると、その電子的クーポンに含められた譲渡の可否及び複写の可否を表すコード（ＲＨＴ）を参照して、転送処理を行う。このコードＲＨＴは、その一態様としては、譲渡の可否を表す第１ビットと、複写の可否を表す第２ビットとからなる。顧客側システム３をなすカーナビゲーションシステムや携帯電話機、携帯端末などには、それぞれ顧客を識別するための顧客識別子と、機器を識別する機器識別子とが付与されている。
【００４２】
これらの機器は、顧客から特定の機器識別子を宛先としてクーポンを転送する指示の入力を受けて、その機器識別子によって識別される機器（宛先機器）に対し、顧客識別子を要求する。そして、宛先機器から受信した顧客識別子が自己の保持する顧客識別子と一致していれば、宛先機器にクーポンを送信し、蓄積しているクーポンを削除する。一方、これらの顧客識別子が一致していなければ、譲渡の可否を表す第１ビットを参照して、これにより譲渡可となっていれば、宛先機器にクーポンを送信して、蓄積しているクーポンを削除する。また、譲渡可となっていなければ、転送は行われない。
【００４３】
さらに、顧客から転送時に複写する指示が入力されているときには、宛先機器の顧客識別子と自己に設定されている顧客識別子とが一致しているか否かに関わらず、コードＲＨＴの第２ビットを参照して、これにより複写可となっていれば、宛先機器にクーポンを送信したときにも、蓄積しているクーポンを削除しない。また、複写不可となっていれば、宛先機器にクーポンを送信したときに、蓄積しているクーポンを削除する。
【００４４】
これにより、特定の顧客が所持している複数の機器間ではクーポンの転送が自由に行われ、他の顧客に対しての譲渡の際には、クーポンに含まれている条件に基づいて譲渡が行われる。
【００４５】
さらに、別の態様においては、譲渡や複写の最大回数を示す値をコードＲＨＴとして設定されていてもよい。この場合には、転送や複写が行われるたびに、クーポンに設定されている、対応する最大回数をデクリメントし、これが「０」になると、譲渡や複写を禁止する。なお、複写の際には、複写後のクーポンに設定する最大回数をどのようにするかの条件を指定可能とすることが好ましい。
【００４６】
［分析処理］
情報センタ１は、商業システム４からクーポンを回収し、この回収したクーポンに含まれている、流通過程各所でのクーポンの取得、利用、転送などの状況の情報に基づき、放送時間帯や放送地域とクーポンの利用状況、転送状況などとの関連を分析する。これにより、放送内容の視聴率などの情報が分析結果として生成され、クーポンの提供者としての店舗側に提供される。また、情報センタ１では、これらの情報に基づいて、適切な時間帯や放送地域、クーポンの内容についてのノウハウを蓄積することができ、このノウハウに基づいたカウンセリングサービスを実施することもできる。
【００４７】
［その他の態様］
さらに、放送局２から配信されるクーポンには、店舗側が提供するＷｅｂページのＵＲＬを含めてもよい。この場合には、顧客側システム３でこのＵＲＬを顧客に提示し、顧客からの指示により、このＵＲＬを参照してＷｅｂページを取得して顧客側に提供することとしてもよい。この場合には、顧客側システム３が、このＵＲＬの参照回数をクーポンの利用状況の情報としてクーポンに含める。
【００４８】
また、ここまでの説明においては、クーポンの情報をその提供主の広告放送映像とともに配信するとして説明したが、例えば料理番組や旅行番組、グルメ情報などの番組とともにそれら通常の番組内で紹介された店舗等で利用可能なクーポンを配信してもよい。
【００４９】
また、これらの店舗等の位置情報をディジタルデータとして放送映像に併せて配信してもよい。顧客側システム３は、これらをすでに述べたようなフィルタ条件によって選択的に蓄積して利用してもよい。さらに、放送局２側では、ディジタルデータとともに配信する放送信号の内容（番組の内容）に応じてデータの配信帯域を調整してもよい。
【００５０】
さらに、ここまでは顧客側システム３に対するデータの配信は常に放送局２から為されていたが、雑誌や新聞などの印刷メディア上に記述された情報（バーコードや電話番号など）の入力を受けて、顧客側システム３がインターネットなどを介して情報センタ１から種々の情報提供を受けるようにしてもよい。例えば、情報センタ１で電話番号と位置情報とを対応づけるテーブルを蓄積しておき、顧客側システム３が電話番号の情報を情報センタ１に送信して、対応する位置情報を取得する。そして、情報センタ１が受信した電話番号で位置情報を検索し、そのデータを返信する。
【００５１】
また、ＣＤ−ＲＯＭやＤＶＤ等のコンピュータ読み取り可能な記録媒体に記録されているデータを顧客側システム３で読み出してインストールしてもよい。特に、電気通信網や放送により配信すると多くの時間がかかるような大容量のデータや、長時間変更のないデータ（静的データ）については、このような形態で配布することが好ましい。
【００５２】
このように本実施形態によれば、放送局側から送信されるデータつき放送信号を弁別するために放送局システムが、弁別の条件設定を支援する支援情報を配信し、受信側システムが、この支援情報に基づき、弁別の条件設定を行うとともに、当該条件に従って、放送局側から受信されるデータのうち受信の対象となったデータのみを選択的に処理する放送システムとしているので、弁別受信の条件設定を容易にでき、利便性を向上できる。
【００５３】
また、本実施形態によれば、送信するデータを受信者側で弁別的に取得させるための放送局システムであって、弁別の条件設定を支援する支援情報を受信者側に配信し、支援情報が有する設定項目と関連したデータ属性を付加してデータを配信する放送局システムとしているので、受信側における弁別受信の条件設定を容易にでき、利便性を向上できる。
【００５４】
さらに、本実施形態によれば、放送局側より送信されるデータを弁別的に取得するための受信側システムであって、弁別の条件設定を支援する支援情報を放送局側より取得し、この支援情報と受信者側の情報とに基づいて弁別条件を設定し、放送局側から受信するデータを前記設定された条件に基づいて弁別的に取得する受信側システムとしているので、弁別受信の条件設定を容易にでき、利便性を向上できる。
【００５５】
さらに、本実施形態によれば、放送局側から与えられた支援情報に含まれる設定項目に対し、受信者情報を記述して条件設定を行い、この設定された条件に基づいて放送局側から送信されたデータつき放送信号から、特定のデータを弁別的に取得する放送受信方法としているので、弁別受信の条件設定が容易に行われ、利便性を向上できる。
【００５６】
さらに、本実施形態によれば、送信するデータを受信者側で弁別的に取得させるために、弁別の条件設定を支援する支援情報を受信者側に配信し、この支援情報が有する設定項目と関連したデータ属性を付加してデータを配信する放送方法としているので、受信者側での弁別受信の条件設定が容易になり、利便性を向上できる。
【００５７】
【発明の効果】
本発明によれば、放送局側から送信されるデータつき放送信号を弁別するために放送局システムが、弁別の条件設定を支援する支援情報を配信し、受信側システムが、支この援情報に基づき、弁別の条件設定を行うとともに、当該条件に従って、放送局側から受信されるデータのうち受信の対象となったデータのみを選択的に処理する放送システムとしているので、放送局側から提供される支援情報を利用して、受信者が弁別の条件を指定できるので、条件設定が容易であり、かつ的確な条件とすることができ、利便性を向上できる。
【図面の簡単な説明】
【図１】  本発明の実施の形態に係る放送システムの構成ブロック図である。
【図２】  クーポン情報の内容の一例を表す説明図である。
【図３】  放送局２の構成ブロック図である。
【図４】  顧客側システム３の構成ブロック図である。
【図５】  状況情報を含めたクーポン情報の内容の一例を表す説明図である。
【図６】  商業システム４の構成ブロック図である。
【図７】  データ属性の一例を表す説明図である。
【図８】  フィルタ条件の例を表す説明図である。
【図９】  放送信号に重畳されるディジタルデータの一例を表す説明図である。
【符号の説明】
１  情報センタ、２  放送局、３  顧客側システム、４  商業システム、２０管理局、２１  地域放送局、３０  カーナビゲーションシステム、３１  携帯電話機、３２  チューナ、３３  携帯端末、４１  受信機、４２  ＰＯＳ、４３発信装置。
【図１】
0004757999.tif 000002
【図２】
0004757999.tif 000003
【図３】
0004757999.tif 000004
【図４】
0004757999.tif 000005
【図５】
0004757999.tif 000006
【図６】
0004757999.tif 000007
【図７】
0004757999.tif 000008
【図８】
0004757999.tif 000009
【図９】
0004757999.tif 000010